(57)【要約】  本発明は、上側モジュールと、上側モジュールに取り外し可能に組み込まれた第１の外耳及び第２の外耳と、２つのトランスデューサであって、一方のトランスデューサが第１の外耳に配置され、もう一方のトランスデューサが第２の外耳に配置される、２つのトランスデューサと、上側モジュールの下部に位置するクランプ継手と、を具えるバイノーラルサウンドキャプチャ装置に対応する。  【選択図】図４
2019517190.tif 000002
【特許請求の範囲】
【請求項１】
上側モジュールと、
前記上側モジュールに取り外し可能に組み込まれた第１の外耳及び第２の外耳と、
２つのトランスデューサであって、一方のトランスデューサが前記第１の外耳に配置され、もう一方のトランスデューサが前記第２の外耳に配置される、２つのトランスデューサと、
前記上側モジュールの下部に位置するクランプ継手と、
を具えるバイノーラルサウンドキャプチャ装置。
【請求項２】
請求項１に記載の装置において、前記上側モジュールの底部に結合されて、人工頭部を構成する下側モジュールを具えること特徴とする、装置。
【請求項３】
請求項１に記載の装置において、前記２つのトランスデューサは無指向性マイクロホンであることを特徴とする、装置。
【請求項４】
請求項１に記載の装置において、前記２つのトランスデューサは、ダイナミックマイクロホン、コンデンサマイクロホン、２０Ｈｚ〜２０ｋＨｚの周波数応答を有するマイクロホン、４ｍｍ〜２５．４ｍｍの鼓膜マイクロホン、２〜５０ｍＶ／ｐａ＠１ｋＨｚの感度マイクロホン、１００〜１６０ｄＢ  ＳＰＬの最大音圧レベルを有するマイクロホン、ＴＨＤ＜１％の歪レベルを有するマイクロホン、及びそれらの組み合わせからなる群から選択されることを特徴とする、装置。
【請求項５】
請求項１に記載の装置において、前記装置は、前記上側モジュールを通過する中心軸を具え、前記中心軸が前記クランプ継手に連結されることを特徴とする、装置。
【請求項６】
請求項２に記載の装置において、前記人工頭部は暗色及び艶消しのテクスチャからなることを特徴とする、装置。
【請求項７】
請求項２に記載の装置において、前記人工頭部は人間の顔の形態を付した前面を有することを特徴とする、装置。
【請求項８】
請求項１に記載の装置において、前記第１の外耳及び前記第２の外耳は、人間の耳の形態を有することを特徴とする、装置。
【請求項９】
請求項１に記載の装置において、前記２つのトランスデューサはオーディオビデオ記録装置に接続されることを特徴とする、装置。
【発明の詳細な説明】
【技術分野】
【０００１】
本発明は、多方向の音環境を再現、具体的にバイノーラルサウンド（２チャンネルのサウンド）を再現するための特定要素を有する音信号をキャプチャするための装置に関する。
【背景技術】
【０００２】
オーディオビジュアルメディアにダイレクトサウンドをキャプチャする手法は、通常、モノラルキャプチャフォーマットに基づいて特定され、その更なるサウンド処理は、信号をステレオ又はサラウンドフォーマットに拡張することが可能である。しかし、空間性の顕著な効果は、ポストプロダクションで用いられるミキシングの過程に限られる。バイノーラルサウンドキャプチャは何十年も知られているが、オーディオビジュアル制作の領域において実装例が少なく、その原因の一部として、当該分野でライブサウンドをキャプチャする利用可能な実用的な方法や装置がないことが挙げられる。
【０００３】
文献ＷＯ１９９６０１０８８４Ａ１は、手動式カメラがバイノーラルサウンドを記録できる装置を開示する。付属品は、カメラの両側にマイクロホンを装着した人工耳、及び３次元サウンドを処理するための回路からなる。人工耳を実装することで、カメラにより距離（間隔）が維持されるが、人間の頭部の平均距離には対応していない。更に、カメラの形状は、人間の頭部の形態との同一性を維持せず、ステージング及び視覚的な遠近法のフレームと一致する３次元音像の制作を制限してしまう。カメラの操作は、カメラ両側に付属品として付け加えられた耳により妨げられる。文献において、ケース収容型カメラの使用が提案されているが、その場合、カメラを操作するのに両手がそのケースの内側に入っていなければならず、現場制作でのカメラ操作に実用的ではない。
【０００４】
文献ＵＳ８０４５８４０Ｂ２は、カメラ、ステレオマイクロホン、及びバイノーラルマイクロホンを有するオーディオ／ビデオ記録装置を開示する。バイノーラルマイクロホンは、カメラマンの耳、或いは人工頭部に挿入される。マイクロホンをカメラマンの耳に挿入する場合、左右のマイクを反対の耳に置くと、バイノーラルの像が逆になるリスクがある。また、カメラマンが、カメラの視点に対して頭を無意識に動かしてしまうリスクがあり、画像に関して得られたバイノーラルの像に歪みが発生してしまう。バイノーラルマイクロホンに加わる変動は、マイクロホンのダイアフラムを上下に動かす支持部が含まれる。これらは、カメラマンの耳を遮ることはないが、頭部に関連する伝達関数を歪めてしまう。伝達関数の歪みにより、このバイノーラルマイクロホンは、人間の知覚によるバイノーラルキャプチャ効果を実現できなくなる。
【０００５】
文献ＵＳ５７７８０８３はビデオカメラに結合された装置を開示し、ビデオカメラは、球体の周りに対称的に分散された５つのマイクを介してサウンドをキャプチャして、５．１サラウンドサウンドフォーマットを提供することができる。装置は、オーディトリーパビリオン（ａｕｄｉｔｏｒｙ  ｐａｖｉｌｉｏｎｓ）には十分でなく、その寸法が人間の頭部に適合しないため、人工頭部によりもたらされるバイノーラル効果に正確なキャプチャを行うことが不可能である。
【０００６】
その結果、人間によりキャプチャされる知覚に応じたバイノーラルのサウンドキャプチャを行うには、ビデオカメラに適合可能なポータブル装置であって、現場またはレコーディングスタジオでのオーディオビジュアルの制作やポストプロダクションにおいて実用的な方法により使用可能な装置を提供することが有利である。
【発明の概要】
【０００７】
本発明は、上側モジュールと、第１の外耳と、第２の外耳と、２つのトランスデューサと、クランプ継手とを具えるバイノーラルサウンドキャプチャ装置に関する。第１の外耳及び第２の外耳は、上側モジュールに取り外し可能に組み込まれる。１つのトランスデューサは第１の外耳に配置され、もう一方のトランスデューサは第２の外耳に配置される。クランプ継手は、人工頭部の下部に位置する。本発明の一様相において、バイノーラルキャプチャ装置は、下側モジュールを具える。下側モジュールは上側モジュールの底部に結合されて、人工頭部を形成する。人工頭部は人間の頭の形状を有し、第１の外耳及び第２の外耳はいずれも人間の耳の形状を有する。
【０００８】
バイノーラルキャプチャ装置の構成により、制作ステップから、ステージング及び視覚フレーミングの遠近感と整合した３次元音像を取得するために、ビデオカメラを適合させることが可能になる。また、当該装置は、三脚やフロアスタンドに容易に適合し、例えば、音の帯域に合わせてスタジオでの対話、フォーリー（Ｆｏｌｅｙ）効果音、及び楽器を録音するポストプロダクションの段階で便利なツールとなる。音源の局所化、空間や深さ等のバイノーラルサウンドキャプチャの機能を維持したまま頭部の下部を取り外すことが可能なバイノーラルキャプチャ装置の様相により、オーディオビデオキャプチャ装置を取り扱い、操作する技術専門スタッフの操作性が改善される。
【図面の簡単な説明】
【０００９】
【図１】図１は、バイノーラルサウンドキャプチャ装置の正面図である。
【図２】図２は、バイノーラルキャプチャ装置の左側面図である。
【図３】図３は、本発明の一実施形態におけるバイノーラルキャプチャ装置の正面図である。
【図４】図４は、本発明の一実施形態におけるバイノーラルキャプチャ装置の左側面図である。
【図５】図５は、本発明の一実施形態におけるバイノーラルキャプチャ装置の左側面図である。
【図６】図６は、本発明の一実施形態におけるバイノーラルキャプチャ装置の耳の正面図である。
【図７】図７は、本発明の一実施形態におけるバイノーラルキャプチャ装置の耳の側面断面図である。
【図８】図８は、本発明の一実施形態におけるバイノーラルキャプチャ装置の底面図である。
【図９】図９は、本発明の一実施形態におけるバイノーラルキャプチャ装置の上側モジュールの右側面図である。
【図１０】図１０は、本発明の一実施形態におけるバイノーラルキャプチャ装置の右側面図である。
【図１１】図１１は、バイノーラルキャプチャ装置の正面図である。
【図１２】図１２は、バイノーラルキャプチャ装置が人工頭部を有する場合（実線）、及びバイノーラルキャプチャ装置が上側モジュールのみを具える場合（点線）における、バイノーラルサウンドキャプチャ装置の第１の外耳ａ）及び第２の外耳ｂ）に関する伝達関数の周波数応答の特定の空間形状を比較したものである。
【図１３】図１３は、バイノーラルキャプチャ装置が人工頭部を有する場合（実線）、及びバイノーラルキャプチャ装置が上側モジュールのみを具える場合（点線）における、バイノーラルサウンドキャプチャ装置の第１の外耳ａ）及び第２の外耳ｂ）に関する伝達関数の周波数応答の特定の空間形状を比較したものである。
【図１４】図１４は、バイノーラルキャプチャ装置が人工頭部を有する場合（実線）、及びバイノーラルキャプチャ装置が上側モジュールのみを具える場合（点線）における、バイノーラルサウンドキャプチャ装置の第１の外耳ａ）及び第２の外耳ｂ）に関する伝達関数の周波数応答の特定の空間形状を比較したものである。
【図１５】図１５は、バイノーラルキャプチャ装置が人工頭部を有する場合（実線）、及びバイノーラルキャプチャ装置が上側モジュールのみを具える場合（点線）における、バイノーラルサウンドキャプチャ装置の第１の外耳ａ）及び第２の外耳ｂ）に関する伝達関数の周波数応答の特定の空間形状を比較したものである。
【図１６】図１６は、バイノーラルキャプチャ装置が人工頭部を有する場合（実線）、及びバイノーラルキャプチャ装置が上側モジュールのみを具える場合（点線）における、バイノーラルサウンドキャプチャ装置の第１の外耳ａ）及び第２の外耳ｂ）に関する伝達関数の周波数応答の特定の空間形状を比較したものである。
【発明を実施するための形態】
【００１０】
本発明は、
上側モジュール（１）と、
上側モジュール（１）に取り外し可能に組み込まれた第１の外耳（３）及び第２の外耳（４）と、
２つのトランスデューサ（５）であって、一方のトランスデューサ（５）が第１の外耳（３）に配置され、もう一方のトランスデューサ（５）が第２の外耳（４）に配置される、２つのトランスデューサ（５）と、
上側モジュール（１）の下部に位置するクランプ継手（７）と、
を具えるバイノーラルサウンドキャプチャ装置に関する。
【００１１】
本発明において、外耳は、耳介（８）として知られる頭部の各側面に螺旋状に位置する装置と、耳介（８）の表面からマイクロホン型のトランスデューサメンブレン（５）につながる導管とからなるセットであることが理解される。ここで記載した導管は、外耳道（９）とも呼ばれる。更に、「頭部の縦軸」という表現は、頭部の頂点から下に向けられ、上側モジュール（１）を通る軸と理解される。
【００１２】
耳介（８）の折り目と、顔面を含む頭部のサイズ及び形状とが周波数スペクトルの変化を起こし、トランスデューサ（５）に到達する前のサウンド生成に干渉する。バイノーラルキャプチャ装置の異なる部品の形状に起因して波面に生じる反響及び回折により、頭部に関連する対応する伝達関数（英語では頭部伝達関数として知られている）が作られる（以下、英語の頭字語であるＨＲＴＦとする）。
【００１３】
図１及び８を参照すると、本発明の一実施形態において、下側モジュール（２）は、上側モジュール（１）に結合されて、人工頭部を構成する。下側モジュール（２）は、上側モジュール（１）の下に位置する。上側モジュール（１）は、第１の外耳（３）及び第２の外耳（４）を含み、いずれも、例えば装置から引っ張り出すことで取り外し可能である。上側モジュール（１）は、下側モジュール（２）の下に位置する調整ナット（１０）により下側モジュール（２）に結合される。
【００１４】
図１を参照すると、本発明の一実施形態において、人工頭部は上側モジュール（１）及び下側モジュール（２）を具え、人間の顔の形態を付した前面を有し、前面には鼻、目、顎、及び口の身体的特徴が描かれている。第１の外耳（３）及び第２の外耳（４）は、人間の耳の形態を有する。それらは、例えば、ＡＮＳＩ  Ｓ３．３６：１９８５の規格に記載されるような、平均的な人間の耳と人間測定学上の類似性を維持している。
【００１５】
以下、第１の外耳（３）について説明する本発明の構成及び実施形態が、第２の外耳（４）に適用され、人間の頭部の形態により対称性を維持することが理解される。
【００１６】
図２を参照すると、本発明の一実施形態において、上側モジュール（１）は、分離ベンド（１２）を介して下側モジュール（２）から横断的に分離される。分離べンド（１２）は、上側モジュール（１）と下側モジュール（２）とが接するところの曲線である。分離ベンド（１２）は、人工頭部の後部から始まり、頭蓋骨の付け根から頬骨を通り、頬から唇の方に下がり、口の頂点、つまり人工頭部の人中と上唇との間で終わる。
【００１７】
図３を参照すると、本発明の一実施形態において、上側モジュール（１）は、人間の顔の形態を付した前面を有し、前面には鼻及び目の身体的特徴が描かれている。本発明の当該実施形態において、上側モジュール（１）が、得られるＨＲＴＦを担い、したがって下側モジュール（２）をなくしてバイノーラルキャプチャ装置を軽量化及び小型化することができる。
【００１８】
図４を参照すると、本発明の一実施形態において、バイノーラルキャプチャ装置は、頭部の縦軸に沿って上側モジュール（１）を通る中心軸（１３）を具える。中心軸（１３）は、上側モジュール（１）とクランプ継手装置（７）とを連結する。本発明の一実施形態において、中心軸（１３）は、調整ナット（１０）を螺合するねじ込み端部を有する空洞の円筒チューブである。調整ナット（１０）により、下側モジュール（２）を上側モジュール（１）に装着して固定することが可能になる。クランプ継手装置（７）は、アダプタ及び／又はコネクタを介して、カメラ、三脚、及び基台に接続される。本発明の一実施形態において、その接続は、ＩＳＯ  １２２２：規格：２０１０による３／４”１６ＵＮＣのネジアダプタにより行われる。
【００１９】
図４及び９を参照すると、本発明の一実施形態において、上側モジュール（１）は、例えば、ビデオカメラ（１１）に相当するサイズのオーディオビデオ記録装置のようにコンパクトな音声や映像の記録システムへの結合が可能になる。その結合は、クランプ継手装置（７）を介して行われる。本発明の一実施形態において、ビデオカメラ（１１）は、デジタル１眼レフカメラ、又はその英語の頭字語であるＤＳＬＲのタイプからなる。
【００２０】
図５を参照すると、本発明の一実施形態において、バイノーラルキャプチャ装置の上側モジュール（１）は第１のハウジング（１５）を有する。第１のハウジング（１５）において、上側モジュール（１）は第１の外耳（３）に連結する。本発明の一実施形態において、第１の外耳（３）は、押し込むことで第１のハウジング（１５）に連結され、引っ張り出すことで取り外される。
【００２１】
図６を参照すると、本発明の一実施形態において、第１の外耳（３）は、耳介（８）及び外耳道（９）を具える。第１の外耳（３）は、バイノーラルキャプチャ装置から引っ張り出すことで取り外しが可能である。人工頭部に対する第１の外耳（３）の位置及び方向は、人間の頭の形態及び寸法と同様である。
【００２２】
図６を参照すると、本発明の一実施形態において、第１の外耳（３）は、人間の耳の形態と同様の形態を有する。第１の外耳（３）は、耳状のシェル（１６）、耳小窩（１７）、舟状窩（１８）、耳輪（１９）、対輪（２０）、耳珠（２１）、１つの対珠（２２）、及び耳垂（２３）の部分を含む。人間の耳の各部分は、特に高さの面において位置を定める一因となる。また、人間の耳の各部分は、デバイスの高周波数‐中間周波数の周波数応答を個別化する。
【００２３】
本発明の一実施形態において、左側の外耳（３）及び右側の外耳（４）は、他の外耳、例えば簡易な外耳との交換が可能になるよう着脱可能である。外耳を簡素化することができ、例えば中にあるマイクロホンの保守又は取り換えが容易になるように外耳を適合又は製造することができる。
【００２４】
図７を参照すると、第１の外耳（３）は、外耳道（９）、及び外耳道（９）に位置するトランスデューサ（５）を具える。トランスデューサ（５）は、音圧を受ける鼓膜として機能する。本発明の一実施形態において、２つのトランスデューサ（５）は無指向性マイクロホンである。これら２つのトランスデューサ（５）は無指向性の極性パターンを有し、鼓膜が外耳道（９）の内側に位置する。本発明の一実施形態において、外耳道（９）は、名目直径が２．５ｃｍの円筒チューブである。
【００２５】
本発明の一実施形態において、２つのトランスデューサ（５）は、ダイナミックマイクロホン、コンデンサマイクロホン、自己雑音の少ないマイクロホン、及び、通常は低インピーダンス且つ低周波数応答を有するマイクロホンからなる群から選択される。例えば、本発明の一実施形態において、２つのトランスデューサ（５）は、２０Ｈｚ〜２０Ｋｈｚの周波数応答、４ｍｍ〜２５．４ｍｍの鼓膜、２〜５０ｍＶ／ｐａ＠１Ｋｈｚの感度、１００〜１６０ｄＢ  ｓｐｌの最大音圧レベル、及びＴＨＤ＜１％の歪レベルを有するマイクロホンである。
【００２６】
図８を参照すると、本発明の一実施形態において、上側モジュール（１）及び下側モジュール（２）により構成された人工頭部は、人工頭部をクランプ継手（７）に連結する中心軸（１３）により２つに分割される。本発明の一実施形態において、中心軸（１３）は、下側モジュール（２）の下から上側モジュール（１）まで進むが、上側モジュール（１）を完全に貫通しない。中心軸（１３）は、頭部の縦軸に沿って配置される。
【００２７】
図８を参照すると、本発明の一実施形態において、バイノーラルキャプチャ装置は、装置を表面上に安定して配置する支持ブラケット（２５）が付いた底部（２４）を有する。本発明の一実施形態において、バイノーラルキャプチャ装置は、４つの支持ブラケット（２５）を有し、それらはバイノーラルキャプチャ装置の底部の周辺に向かって等距離に配置される。本発明の一実施形態において、それぞれの支持ブラケット（２５）はゴム製で、円錐台の形状を有する。
【００２８】
図８を参照すると、底部の正面の中心に向かったところに、第１のネジ穴（２６）がある。第１のネジ穴（２６）には、例えば、マイクロホンスタンド、三脚、又はアダプタのネジ等の要素が螺合される。本発明の一実施形態において、これらの要素は、ＩＳＯ  １２２２：規格：２０１０による１／４”２０ＵＮＣのネジで螺合される。バイノーラルキャプチャ装置の後ろの中央部分には、例えば、ＩＳＯ  １２２２：規格：２０１０による３／４”１６ＵＮＣのネジで、グリップハンドルのヘッド部、又は任意の基部或いはアダプタを螺合するための第２のネジ穴（２７）がある。バイノーラルキャプチャ装置の底部の中心には、調整ナット（１０）があり、中心軸（１３）を介して下側モジュール（２）を上側モジュール（１）に結合させるものである（図示せず）。本発明の一実施形態において、第１の外耳（３）の外耳道（９）及び第２の外耳（４）の外耳道（９）に位置する２つのトランスデューサ（５）のワイヤが、中央軸（１３）と、中央軸（１３）の調節ナット（１０）とを通る。
【００２９】
図９を参照すると、本発明の一実施形態において、上側モジュール（１）は、バイノーラルキャプチャ装置のクランプ継手（７）により、ビデオカメラ（１１）上に装着される。クランプ継手（７）は、ＩＳＯ  ５１８：２００６によるシューアダプタである。
クランプ継手（７）は、バイノーラルキャプチャ装置の中心軸（１３）に連結される。
【００３０】
図１０を参照すると、本発明の一実施形態において、バイノーラルキャプチャ装置には、第１のネジ穴（２６）に螺合されたシューアダプタを介して、上側モジュール（１）及び下側モジュール（２）がビデオカメラ（１１）に取り付けられる（図示せず）。
【００３１】
図１１を参照すると、バイノーラルキャプチャ装置は、下側モジュール（２）の底部の第２のネジ穴（２７）に螺合された把持ハンドル（２８）を有する。把持ハンドル（２８）は、バイノーラルキャプチャ装置を手持ちマイクロホンのように自由に操作するのに用いられる。
【００３２】
本発明の一実施形態において、人工頭部は、繊維強化プラスチック、例えば、繊維ガラスで強化されたアクリル樹脂から構成される。繊維強化プラスチックは、現場作業に用いられるという前提で装置の耐用性を確保するために頑丈な構造を提供し、更に繊維強化プラスチックは、金属等の他の材料と比較して低重量である。低重量であることにより、バイノーラルキャプチャ装置の操作を容易にする。第１の外耳（３）及び第２の外耳（４）は、シリコーン製である。シリコーンは、人間の皮膚のインピーダンスと同様の音響インピーダンスを提供できる。頭部の上部には、バイノーラルキャプチャ装置内で生じる共振を減衰させる働きをする吸収音響材が提供される。
【００３３】
本発明の一実施形態において、人工頭部の色は、視聴覚作品で光の反射を回避する暗い色調、及び艶消しテクスチャである。これらの色調及びテクスチャは、特に、アートディレクション及び映画撮影術において、視聴覚作品の制作や映画撮影の作業環境に適合させたいという要望に応じたものである。装置は、反響を発してはならず、それぞれの作品の背景要素に溶け込みやすいものとすべきで、そのことにより、異なる場所からカメラの位置までのサウンドのキャプチャが可能となる。
【００３４】
本発明の一実施形態において、オーディオビデオ記録装置はステレオで、第１の外耳（３）及び第２の外耳（４）に位置するマイクロホンに対応する左右のチャンネルのキャプチャが可能になる。
【００３５】
本発明の一実施形態において、２つのトランスデューサ（５）は、３つの平衡型ピンＸＬＲコネクタを介して、オーディオビデオ記録装置に接続される。オーディオビデオ記録装置は、チャンネル毎にプリアンプを含み、４４．１ｋＨｚ、４８ｋＨｚ、９６ｋＨｚ、及び１９２ｋＨｚのサンプル周波数と、１６ビット及び２４ビットの深さの解像度とを有するデジタルアナログ変換器を含む。
【００３６】
本発明の一実施形態において、オーディオ／ビデオ記録装置は、パルス符号変調、またはその英語の頭字語であるＰＣＭを用いた非圧縮形式のデジタルサウンド格納ユニットを含む。
【００３７】
［実施例］
図１２乃至１６において、ＨＲＴＦの結果を周波数領域にて示す。その周波数領域は、人工頭部を有するバイノーラルキャプチャ装置、及び上側モジュール（１）のみを有するバイノーラルキャプチャ装置を異なる方位角及び仰角で測定したものである。
【００３８】
バイノーラルキャプチャ装置の周波数応答値が、インパルス応答の測定から得られた。測定は、約６０ｍ３の容積を有する音響調整格納装置において行われた。格納装置は、２９ｄＢ（Ａ）までの低暗騒音を有することが可能な音響構造遮断を有する。格納装置は、残響制御の吸音処理を有する。その残響は、０．４７秒の平均残響時間を有し、その時間は５００〜１０００Ｈｚの帯域の平均値である。
【００３９】
インパルス応答の測定は、ソースとして、周波数応答が平坦であるラウドスピーカを用いて行われた。ラウドスピーカは、ラウドスピーカの前で一定距離に位置するバイノーラルキャプチャ装置に、広帯域信号を周波数にして放射する。ソースと装置との間の距離について、ダイレクトサウンドの場から残響場まで通過する距離を区別する臨界距離の概念を考慮に入れた。この距離は、ソースの指向性及び格納装置の音響環境の関数である。ダイレクトサウンドの場で測定するために、ソースと装置との間の距離を臨界距離以下とした。測定は、頭部に対して−３０°〜＋３０°まで１５°単位で仰角を形成する５つのソースの位置で行われた。それぞれの仰角について、頭部を１５°単位で縦軸（方位角度）を中心に時計回りに回転して、両耳のインパルス応答の測定が行われた。
【００４０】
図１２乃至１６において、５つの特定の測定による第１の外耳（３）及び第２の外耳（４）に対応するインパルス応答が示される。図中の縦軸は、インパルス応答の高速フーリエ変換（以下、その英語の頭字語であるＦＦＴとする）の格納容器から得られた応答のデシベルレベルを表す。サンプリング周波数は４４．１ｋＨｚ、ＦＦＴサイズは４０９６サンプルであった。横座標は、周波数をヘルツで表し、６３Ｈｚから１６ｋＨｚ帯域までのオクターブバンドの中心周波数を示す。点線は、上側モジュール（１）を有するバイノーラルキャプチャ装置の測定を示し、実線は、人工頭部を有するバイノーラルキャプチャ装置の測定を示す。
【００４１】
図１２を参照すると、バイノーラルキャプチャ装置の頭部の向きが方位０°及び仰角０°の周波数応答が測定された。図１２ａ）は、第１の外耳（３）から得られた周波数応答を示し、図１２ｂ）は、第２の外耳（４）から得られた周波数応答を示す。図１２ａ）及び図１２ｂ）において、人工頭部で測定されたバイノーラルキャプチャ装置と上部モジュール（１）で測定されたバイノーラルキャプチャ装置との間で、周波数応答は５ｄＢまで大きな差がないことがわかる。差が最も大きいのは、第１の外耳（３）は１６ｋＨｚ付近、及び第２の外耳（４）は７ｋＨｚ付近の範囲である。
【００４２】
図１３を参照すると、バイノーラルキャプチャ装置の頭部の向きが方位０°及び仰角３０°の周波数応答が測定された。図１３ａ）は、第１の外耳（３）から得られた周波数応答を示し、図１３ｂ）は、第２の外耳（４）から得られた周波数応答を示す。図１３ａ）及び図１３ｂ）において、人工頭部について測定されたバイノーラルキャプチャ装置と、及び上側モジュール（１）のみで測定されたバイノーラルキャプチャ装置との間で、周波数応答は５ｄＢまで大きな差がないことがわかる。差が最も大きいのは、第１の外耳（３）は４ｋＨｚ付近、第２の外耳（４）は１６ｋＨｚ付近の範囲である。
【００４３】
図１４を参照すると、バイノーラルキャプチャ装置の頭部の向きが方位９０°及び仰角０°の周波数応答が測定された。図１４ａ）は、第１の外耳（３）から得られた周波数応答を示し、図１４ｂ）は、第２の外耳（４）から得られた周波数応答を示す。図１４ａ）及び図１４ｂ）において、人工頭部について測定されたバイノーラルキャプチャ装置と、及び上側モジュール（１）のみで測定されたバイノーラルキャプチャ装置との間で、周波数応答は５ｄＢまで大きな差がないことがわかる。差が最も大きいのは、第１の外耳（３）は２ｋＨｚ付近、及び第２の外耳（４）は３ｋＨｚ付近の範囲である。
【００４４】
図１５を参照すると、バイノーラルキャプチャ装置の頭部の向きが方位２７０°及び仰角３０°の周波数応答が測定された。図１５ａ）は、第１の外耳（３）から得られた周波数応答を示し、図１５ｂ）は、第２の外耳（４）から得られた周波数応答を示す。図１５ａ）及び図１５ｂ）において、人工頭部について測定されたバイノーラルキャプチャ装置と、及び上側モジュール（１）のみで測定されたバイノーラルキャプチャ装置との間で、周波数応答は５ｄＢまで大きな差がないことがわかる。差が最も大きいのは、第１の外耳（３）は３ｋＨｚ付近、及び第２の外耳（４）は１０ｋＨｚ付近の範囲である。
【００４５】
図１６を参照すると、バイノーラルキャプチャ装置の頭部の向きが方位１８０°及び仰角１５°の周波数応答が測定される。図１６ａ）は、第１の外耳（３）から得られた周波数応答を示し、図１６ｂ）は、第２の外耳（４）から得られた周波数応答を示す。図１６ａ）及び図１６ｂ）において、人工頭部について測定されたバイノーラルキャプチャ装置と、及び上側モジュール（１）のみで測定されたバイノーラルキャプチャ装置との間で、周波数応答は５ｄＢまで大きな差がないことがわかる。差が最も大きいのは、第１の外耳（３）は４ｋＨｚ付近、及び第２の外耳（４）は４ｋＨｚ付近の範囲である。
【００４６】
図１２乃至１６に示した全ての測定例について、人工頭部を有するバイノーラルキャプチャ装置と、上側モジュール（１）のみを有するバイノーラル装置との間の周波数応答のレベルの変動は、一般的に５ｄＢ未満であることがわかる。これらの差は、特定の周波数範囲に関してより強く表され、バイノーラルキャプチャ装置の上側モジュール（１）のみを用いてサウンドのキャプチャを行ったときに得られた結果は、人工頭部を有するバイノーラルキャプチャ装置でサウンドのキャプチャを行ったときに得られた結果と同様である。これらの試験は、音源の空間的な特性、位置及び深さ、且つサウンドバイノーラルキャプチャの典型的な機能を保ちながら行われる。
【００４７】
以下の特許請求の範囲によってのみ定められる本発明の精神から逸脱せずに変形及び修正が可能であることが当業者に明らかであり、本発明は既に記載且つ示した実施形態に限定されないことが理解されよう。
【図１】
2019517190.tif 000003
【図２】
2019517190.tif 000004
【図３】
2019517190.tif 000005
【図４】
2019517190.tif 000006
【図５】
2019517190.tif 000007
【図６】
2019517190.tif 000008
【図７】
2019517190.tif 000009
【図８】
2019517190.tif 000010
【図９】
2019517190.tif 000011
【図１０】
2019517190.tif 000012
【図１１】
2019517190.tif 000013
【図１２】
2019517190.tif 000014
【図１３】
2019517190.tif 000015
【図１４】
2019517190.tif 000016
【図１５】
2019517190.tif 000017
【図１６】
2019517190.tif 000018
【国際調査報告】
2019517190.tif 000019
2019517190.tif 000020
2019517190.tif 000021
2019517190.tif 000022